(57)【特許請求の範囲】
【請求項１】
パルスオキシメータのケースを貫通するように形成された検査用孔と、
前記検査用孔を塞ぐように設けられた透湿通気防水膜と、
を具備し、
前記検査用孔内には、前記透湿通気防止膜が前記ケースの内部方向へ押し込まれることを防止する押し込み防止部が形成されており、
前記押し込み防止部は、前記検査用孔の入口から前記透湿通気防水膜までの気道を確保しつつ、かつ、前記検査用孔の入口方向から前記検査用孔内を見たときに前記透湿通気防水膜が見えないように形成されている、
パルスオキシメータの防水検査構造。
【請求項２】
前記防水検査構造は、手首装着型のパルスオキシメータ本体に設けられ、
前記検査用孔は、前記パルスオキシメータを手首に装着するためのリストバンドによって覆われる位置に配置されている、
請求項１に記載のパルスオキシメータの防水検査構造。
【発明の詳細な説明】
【技術分野】
【０００１】
本発明は、パルスオキシメータの防水検査構造に関し、特に被検者の手首に装着されるパルスオキシメータ本体における防水検査構造に関する。
【背景技術】
【０００２】
パルスオキシメータは、光によって非観血的に動脈血酸素飽和度（ＳｐＯ２）を計測するための医療機器である（例えば特許文献１参照）。パルスオキシメータは、指、足趾又は耳朶等の部位にプローブを装着するように構成されている。このプローブには、装着部位に向けて例えば赤色光又は赤外光を発光する発光素子（例えば発光ダイオード）と、装着部位を透過し又は装着部位から反射した光を検出する受光素子（例えばフォトダイオード）と、が設けられている。パルスオキシメータは、透過光又は反射光の検出信号を用いて動脈血酸素飽和度の計測処理を行う信号処理回路を有し、この回路において、動脈血の脈拍に同期する光検出レベルの変動を赤色光の場合と赤外光の場合とで対比し、その比から動脈血酸素飽和度を算出し、算出した動脈血酸素飽和度を表示部に表示する。
【０００３】
パルスオキシメータとしては、パルスオキシメータプローブと、上記信号処理回路及び上記表示部を有するパルスオキシメータ本体と、が別体に構成された別体型のものがある。また、パルスオキシメータプローブに上記信号処理回路及び上記表示部が搭載された一体型のものがある。別体型のパルスオキシメータでは、プローブがケーブルを介してパルスオキシメータ本体に接続される。パルスオキシメータ本体は被検者の手首等に装着される。
【先行技術文献】
【特許文献】
【０００４】
【特許文献１】特開２０１５−１０７１５２号公報
【発明の概要】
【発明が解決しようとする課題】
【０００５】
ところで、従来のパルスオキシメータにおいては、防水機能を持たないので、入浴中や水中のリハビリにおいてＳｐＯ２を測定する場合には、防水カバーによってパルスオキシメータを腕ごと覆う必要があった。しかし、このようにすると、防水カバーによって被検者の腕が締め付けられることにより被検者の血流が阻害され、この結果、正確なＳｐＯ２測定ができないおそれがある。よって、労作となる入浴中のＳｐＯ２測定が不正確となるおそれがあり、甚だ不都合である。このようなことから、防水機能を持ったパルスオキシメータが望まれる。防水機能を持ったパルスオキシメータによれば、入浴中も途切れることなく２４時間のＳｐＯ２測定及び記録により、被検者が普段の生活の中でＳｐＯ２が９０％未満とならないかスクリーニングを行うことができる。また、防水カバーを取り付ける手間とコストを省くことができ、腕の締め付けにより正確な値が取れないリスクを回避することができる。さらには、防水カバーの取り付けミスにより浸水し、機器が故障するリスクを回避することができる。
【０００６】
しかしながら、パルスオキシメータは医療の診断にも用いられるため、機器内への漏水によって予期せずに機器が故障したり、漏水によって測定精度が低下していることを知らずに測定を続けることは、絶対に避けなければならない。
【０００７】
よって、防水機能が果たされているかを検査するための防水検査構造を有していることが好ましい。防水機能はパルスオキシメータの使用時間の経過に伴って低下することが考えられるので、この防水検査構造は、製造時のみならず、使用開始後も簡単に防水検査を行うことができるものであることが好ましい。
【０００８】
本発明は、以上の点を考慮してなされたものであり、簡単に防水検査を行うことができるパルスオキシメータの防水検査構造を提供する。
【課題を解決するための手段】
【０００９】
本発明のパルスオキシメータの防水検査構造の一つの態様は、
パルスオキシメータのケースを貫通するように形成された検査用孔と、
前記検査用孔を塞ぐように設けられた透湿通気防水膜と、
を具備し、
前記検査用孔内には、前記透湿通気防止膜が前記ケースの内部方向へ押し込まれることを防止する押し込み防止部が形成されており、
前記押し込み防止部は、前記検査用孔の入口から前記透湿通気防水膜までの気道を確保しつつ、かつ、前記検査用孔の入口方向から前記検査用孔内を見たときに前記透湿通気防水膜が見えないように形成されている。
【発明の効果】
【００１０】
本発明によれば、検査用孔に圧力測定装置のノズルを挿入し、圧力測定装置によってケース内部の圧力を測定することで防水機能を検査できる。また、検査時以外は、透湿通気防水膜によってケース内部への水分の浸入が防止される。よって、簡単に防水検査を行うことができる。
【図面の簡単な説明】
【００１１】
【図１】実施の形態に係るパルスオキシメータの全体構成を示す図
【図２】本体部の分解斜視図
【図３】本体部を裏面側から見た平面図
【図４】検査用孔の様子を示す平面図
【図５】図４のＡ−Ａ断面図
【図６】図４のＢ−Ｂ断面図
【発明を実施するための形態】
【００１２】
以下、本発明の実施の形態について、図面を参照して詳細に説明する。
【００１３】
図１は、本実施の形態に係るパルスオキシメータの全体構成を示す図である。パルスオキシメータ１０は、本体部１００と、プローブ部２００とを有する。本体部１００とプローブ部２００とはケーブル３００を介して接続されている。本体部１００は図示しないリストバンドを用いて被検者の手首付近に装着可能とされており、プローブ部２００は被検者の指に装着可能とされている。
【００１４】
本体部１００は、プローブ部２００の発光部を発光させる発光回路、プローブ部２００からの光を受光する受光回路、受光回路により得た透過光又は反射光の検出信号を用いて動脈血酸素飽和度の計測処理を行う信号処理回路、表示部１０１及び操作部１０２等を有する。
【００１５】
図２は、本体部１００の分解斜視図である。図２において、下側が表示部１０１側（つまり表面側）であり、上側が手首への装着側である。
【００１６】
表面側ケース１１０と裏面側ケース１２０との間には、メイン基板１３０、ＬＣＤ（Liquid Crystal Display）１４０が収容される。メイン基板１３０には、上述した発光回路、受光回路及び信号処理回路が設けられている。
【００１７】
表面側ケース１１０の収容凹部１１１に、メイン基板１３０、ＬＣＤ１４０を収容した状態において、表面側ケース１１０と裏面側ケース１２０とをネジ１５１ａ、１５２ａ、１５３ａ、１５４ａにより締結する。
【００１８】
各ネジ１５１ａ、１５２ａ、１５３ａ、１５４ａにはパッキン１５１ｂ、１５２ｂ、１５３ｂ、１５４ｂが挿通され、これによりネジ孔からケース内への浸水が防止される。また、裏面側ケース１２０における表面側ケース１１０への当接面には、パッキン（図示せず）が設けられており、これにより表面側ケース１１０と裏面側ケース１２０との隙間からのケース内への浸水が防止される。
【００１９】
表面側ケース１１０の表面側には、メンブレンシート１６０が取り付けられる。メンブレンシート１６０における表面側ケース１１０と対向する面の周縁部には防水両面テープ（図示せず）が貼着されており、これにより表面側ケース１１０の表面側にメンブレンシート１６０を貼着することにより、表面側ケース１１０の表面側からケース内への浸水が防止される。
【００２０】
表面側ケース１１０の側面には、電池蓋１７０が取り付けられる。電池蓋１７０は回動軸１７１を中心に回動可能に表面側ケース１１０に取り付けられ、閉状態において遊端側の係止爪１７２が表面側ケース１１０の係止部に係合することにより、ロック状態とされる。電池蓋１７０における表面側ケース１１０との当接面にはパッキン１７３が設けられており、これにより電池蓋１７０のロック状態においてケース内への浸水が防止される。
【００２１】
このように、本体部１００は、ケース内部への浸水を防止する防水機能を有する。
【００２２】
かかる構成に加えて、本体部１００は、防水機能を検査するための防水検査構造を有する。本実施の形態による防水検査構造は、本体部１００の裏面側ケース１２０を貫通するように形成された検査用孔（チェックポート）１８０と、検査用孔１８０を塞ぐように設けられた透湿通気防水膜１８１（図５、図６）と、を有する。透湿通気防水膜１８１は、ケース外部からケース内部への水分の浸入を防ぎ、ケース内部からケース外部には水分を通過させ、ケース内部とケース外部との間で空気を通過させる。
【００２３】
検査用孔１８０は、本体部１００を手首に装着するためのリストバンド４００によって覆われる位置に配置されている。具体的には、裏面側ケース１２０にはリストバンド４００を挿通するためのリストバンド挿通口１２１、１２２が形成されており、検査用孔１８０はこのリストバンド挿通口１２１、１２２にリストバンド４００が挿通されたときにリストバンド４００によって覆われる位置に形成されている。これにより、リストバンド４００によって検査用孔１８０へのゴミや埃の侵入が防止される。
【００２４】
図３は、本体部１００を裏面側から見た平面図である。
【００２５】
図４は検査用孔１８０を裏面側から見た平面図であり、図５は図４のＡ−Ａ断面図、図６は図４のＢ−Ｂ断面図である。
【００２６】
図４−図６に示したように、検査用孔１８０内には、検査用孔１８０に裏面側から圧力測定装置のノズル５００や棒状の異物が入り込んだときに、これらによって透湿通気防水膜１８１が損傷を受けることを防止するための押し込み防止部１８２ａ、１８２ｂが形成されている。
【００２７】
押し込み防止部１８２ａ、１８２ｂは、検査用孔１８０の入口から透湿通気防水膜１８１までの気道を確保しつつ、検査用孔１８０の入口から入り込む圧力測定装置のノズル５００や棒状の異物による透湿通気防水膜１８１の損傷を防止する。
【００２８】
本実施の形態の場合、押し込み防止部１８２ａ、１８２ｂは２段構成となっており、検査用孔１８０の入口側に第１の押し込み防止部１８２ａが形成されているとともに検査用孔１８０の奥側に第２の押し込み防止部１８２ｂが形成されている。第１の押し込み防止部１８２ａには、周縁部に気道を確保するための切欠１８２ａ１が形成されている。一方、第２の押し込み防止部１８２ｂには、中央部に気道を確保するための切欠１８２ｂ１が形成されている。これにより、圧力測定装置のノズル５００や棒状の異物による透湿通気防水膜１８１の損傷を防止できる。例えば、圧力測定装置のノズル５００の先端は第１の押し込み防止部１８２ａに当接するので、ノズル５００は第１の押し込み防止部１８２ａより奥へは進入しない。また、棒状の異物は、第１の押し込み防止部１８２ａの切欠１８２ａ１から奥へ進入したとしても、第２の押し込み防止部１８２ｂに突き当たるので、透湿通気防水膜１８１は損傷を受けない。
【００２９】
なお、押し込み防止部の構成は、図４−図６の例に限定されるものではなく、要は検査用孔１８０の入口から透湿通気防水膜１８１までの気道を確保しつつ、検査用孔１８０の入口から入り込む圧力測定装置のノズル５００や棒状の異物による透湿通気防水膜１８１の損傷が防止される構成であればよい。このためには、検査用孔１８０の入口から透湿通気防水膜１８１までの気道が確保され、かつ、検査用孔１８０の入口方向から検査用孔１８０内を見たときに透湿通気防水膜１８１が見えないように押し込み防止部を形成するとよい。
【００３０】
因みに、本実施の形態では、透湿通気防水膜１８１は、裏面側ケース１２０のケース内部側に両面テープ（図示せず）により貼着されている。さらに、透湿通気防水膜１８１の周縁部をポリカーボネート１８３により支持することで、透湿通気防水膜１８１の剥がれを確実に防止するようになっている。ポリカーボネート１８３は、両面テープ１８４により裏面側ケース１２０のケース内面に貼着されている。
【００３１】
以上の構成において、本体部１００の防水機能を検査する際には、先ず、本体部１００からリストバンド４００を外し、検査用孔１８０に圧力測定装置のノズル５００を挿入する。そして、圧力測定装置によって本体部１００の内部圧力を所定の圧力まで上昇させ、このとき圧力が低下しなければ防水機能が正常な状態であると判定する。これに対して、圧力が低下した場合、このことはケースのいずれかの位置から空気が漏れる状態であることを意味し、防水機能が低下している状態であると判定する。
【００３２】
検査時以外においては、透湿通気防水膜１８１が本体部１００の外部から内部への水分の浸入を防止するので、検査用孔１８０から本体部１００の内部への水分の浸入は防止される。また、本体部１００の内部の湿度は、透湿通気防水膜１８１によって外部の湿度と同じ程度まで下げられる。
【００３３】
以上説明したように、本実施の形態によれば、パルスオキシメータ１０の本体部１００のケース１２０を貫通するように形成された検査用孔１８０と、検査用孔１８０を塞ぐように設けられた透湿通気防水膜１８１と、を設けたことにより、簡単に防水検査を行うことができるパルスオキシメータの防水検査構造を実現できる。
【００３４】
また、検査用孔１８０をリストバンド４００によって覆われる位置に設けたことにより、リストバンド４００によって検査用孔１８０へのゴミや埃の侵入を防止できる。さらに、防水検査中以外は、検査用孔１８０がリストバンド４００によって覆われるので、検査中以外に検査用孔１８０に透湿通気防水膜１８１を損傷させるおそれがあるような棒状の異物が入り込むことを防止できる。
【００３５】
さらに、押し込み防止部１８２ａ、１８２ｂを設けたことにより、圧力測定装置のノズル５００による透湿通気防水膜１８１の破損を防止できる。勿論、押し込み防止部１８２ａ、１８２ｂは、ノズル５００以外の異物による透湿通気防水膜１８１の破損も防止できる。
【００３６】
このように、本実施の形態によれば、リストバンド４００及び又は押し込み防止部１８２ａ、１８２ｂによって、透湿通気防水膜１８１の破損を確実に防止でき、防水機能を検査するための検査用孔１８０からケース内部に水分が入り込むといった本末転倒の事態を確実に防止できる。
【００３７】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００３８】
本発明は、パルスオキシメータの防水機能を検査する防水検査構造として有用である。
【符号の説明】
【００３９】
１０  パルスオキシメータ
１００  本体部
１１０  表面側ケース
１２０  裏面側ケース
１８０  検査用孔
１８１  透湿通気防水膜
１８２ａ、１８２ｂ  押し込み防止部
１８２ａ１、１８２ｂ１  切欠
１８３  ポリカーボネート
２００  プローブ部
３００  ケーブル
４００  リストバンド
５００  ノズル
【図１】
0006726984.tif 000002
【図２】
0006726984.tif 000003
【図３】
0006726984.tif 000004
【図４】
0006726984.tif 000005
【図５】
0006726984.tif 000006
【図６】
0006726984.tif 000007